(57)【要約】【課題】  釣り用生き餌として使用する環形動物を生存させ、鮮度を保った状態で、長距離・長時間の運搬・保存を可能とする器具、器具の製造方法、器具を用いた運搬・保存方法を提供する。【解決手段】  釣り用生き餌の運搬・保存器具は、環形動物４を収納する筒状部材１と、筒状部材１の開口端部５を塞ぐ栓部材２とを備える。筒状部材１の筒側面に少なくとも１つ、好ましくは複数の連通孔３を設け、連通孔３により筒状部材１の内外を連通させる。環形動物４は、直進移動する習性を持つので、筒側面の連通孔３から筒状部材１の外へ脱出しない。【選択図】図１
2014027914.tif 000002
【特許請求の範囲】
【請求項１】
釣り用の生き餌として使用される環形動物を運搬・保存するために使用される器具であって、環形動物を収納する筒状部材を備え、前記筒状部材の筒側面に、該筒状部材の内外を連通させる少なくとも１つの連通孔を設けたことを特徴とする、釣り用生き餌の運搬・保存用器具。
【請求項２】
前記筒状部材の開口端部を塞ぐ閉塞部を備えることを特徴とする、請求項１記載の釣り用生き餌の運搬・保存用器具。
【請求項３】
前記閉塞部が前記筒状部材の開口端部に通水・通気性を保って挿着される栓部材を含み、栓部材の内端よりも開口端部側において、筒状部材の筒側面に前記連通孔を設けたことを特徴とする請求項２記載の釣り用生き餌の運搬・保存用器具。
【請求項４】
前記筒状部材の円周方向に複数の前記連通孔を一列に並べ、連通孔の位置にて前記閉塞部を筒状部材から切り取り可能にした請求項１，２又は３記載の釣り用生き餌の運搬・保存用器具。
【請求項５】
前記筒状部材に前記閉塞部を切り取るためのミシン目を入れたことを特徴とする、請求項１、２又は３記載の釣り用生き餌の運搬・保存用器具。
【請求項６】
前記連通孔が設けられる位置は、該連通孔の中心が前記開口端部より前記筒状部材の長手方向へ１ｃｍ以上離れた位置であることを特徴とする、請求項１又は２記載の釣り用生き餌の運搬・保存用器具。
【請求項７】
前記連通孔は、直径２ｍｍ〜６ｍｍの大きさであることを特徴とする、請求項１乃至５の何れか一項に記載の釣り用生き餌の運搬・保存用器具。
【請求項８】
請求項１乃至７の何れか一項に記載の釣り用生き餌の運搬・保存用器具の製造方法であって、前記筒状部材をパンチの挟着部に挟み付けた状態で、該筒状部材の筒側面に前記連通孔を打ち抜くことを特徴とする、釣り用生き餌の運搬・保存用器具の製造方法。
【請求項９】
請求項１乃至７の何れか一項に記載の釣り用生き餌の運搬・保存用器具を用い、環形動物を前記筒状部材の開口端部から該筒状部材の内側に収納し、開口端部を栓部材で塞ぎ、前記筒状部材の内部を湿潤状態にし、筒状部材の内外を前記連通孔により連通させた状態で、環形動物を運搬・保存することを特徴とする、釣り用生き餌の運搬・保存方法。
【発明の詳細な説明】
【技術分野】
【０００１】
本発明は、釣り用の生き餌として使用される環形動物の運搬・保存用器具及びその製造方法、並びに、釣り用生き餌の運搬・保存方法に関するものである。
【背景技術】
【０００２】
イソメ・イワムシ・ゴカイ等の海産の環形動物は、釣り用の生き餌として広く利用されている。近年は、生き餌の需要の増加や種類の多様化に伴い、近隣の大韓民国や中華人民共和国からの輸入だけでなく、東南アジア諸国からも多く輸入されている。釣り用の生き餌は、当然釣り人が釣りをする時まで生きて提供される必要があるので、収穫・輸送を経て販売されるに至る行程で弱って死んでしまう個体数をどこまで減らすことができるのかが大きな課題である。特に東南アジア等の遠方から輸入をする場合、長距離・長時間の運搬中に生き餌を生存状態に保つ必要が生じる。
【０００３】
従来、生き餌用環形動物を運搬するには、海砂やバーミュライト等に海水を浸して充填した容器の中に、生き餌用環形動物を収納し運搬・保存をする方法が主流であった。しかし、この運搬方法では、生き餌用環形動物が中で絡み合ったり、環形動物の有する元来の闘争心の強さからその鋭い牙により噛み合い死んでしまったりすることが多く見られ長距離・長時間の運搬には適さない。
【０００４】
この改善策として、生き餌用環形動物をパイプに入れ運搬する方法が知られている（特許文献１）。この従来方法は、生き餌用環形動物が巣穴に潜る習性を持つことから、畜養箱に生き餌用環形動物の体型・体長に即したパイプを並べ、一本ごとにパイプの中に生き餌用環形動物を潜らせることにより、互いを傷つけあうことなく輸送することができるとともに、パイプ単位で生き餌用環形動物の移動を容易に行うことができる。
【０００５】
しかし、特許文献１にかかる発明では生き餌用環形動物がパイプの内外を自由に行き来できることから、なお長距離・長時間の運搬の際に、生き餌用環形動物が傷つくことは避けられない。また、パイプから逃げ出した生き餌用環形動物を運搬後に処理する面倒が生ずる。さらに、パイプの通気・通水は、パイプの開口部分に限られるため通気性・通水性が悪く扱いも面倒である。
【０００６】
これに対して特許文献２にかかる発明では、筒状部材と、貫通孔を有した栓部材からなる釣餌用環形動物梱包材が提案されている。この梱包材は、図１４（ａ）、（ｂ）に示すように、貫通孔１０３を有した栓部材１０２により筒状部材１０１の開口端に栓をすることにより、収納されている生き餌用環形動物１０４は逃げることがなく、また、貫通孔１０３を通じて通水が行われることから長期の輸送においても生き餌用環形動物１０４の鮮度を保つことができる。
【０００７】
しかし、特許文献２にかかる発明においては、栓部材１０２に設けられた貫通孔１０３が生き餌用環形動物１０４から排出された老廃物や切れた胴体などにより塞がってしまうという欠点があった。また、環形動物には穴があるとその中に入り込む性質があるため、生き餌用環形動物１０４の進行方向に存在する栓部材１０２の貫通孔１０３に頭から入り込もうとすることで、生き餌用環形動物１０４の体力の消耗や自傷行為を招く。さらに、栓部材１０２に貫通孔１０３を設けることは、構造的に複雑でありそのような栓部材１０２の製作、入手、使用はコストが高くつき、効率が悪い。
【０００８】
特許文献３にかかる発明では、図１５に示すように、生き餌用環形動物１０４を入れた筒状部材１０１の開口端部１０５において、対面する管壁の内面の一部を熱溶着やステープラー等を用いて当接させ、当接部１１２により分けられた２つの貫通孔１０３を設けることにより、生き餌用環形動物１０４が逃げることなく、通水性を持たせることのできる釣餌用環形動物梱包材が提案されている。
【０００９】
しかし、特許文献３にかかる発明においても、やはり貫通孔１０３に入り込もうとすることで、生き餌用環形動物１０４の体力の消耗や自傷行為を招く。また、生き餌用環形動物１０４を挿入した後に、筒状部材１０１の開口端部１０５を当接させる必要があり、この作業に手間がかかる。さらに、生き餌用環形動物１０４を筒状部材１０１から取り出すには、当接部１１２を切断する必要があり、切断する器具も必要になり、餌付け時の作業も煩雑となる。
【先行技術文献】
【特許文献】
【００１０】
【特許文献１】特開平６−２６９２３４号公報
【特許文献２】特許第３１０５４８５号公報
【特許文献３】特開２０１１−５５８０９号公報
【発明の概要】
【発明が解決しようとする課題】
【００１１】
本発明の目的は、釣り用生き餌として使用する環形動物を生存させ、鮮度を保った状態で、長距離・長時間の運搬・保存をすることができる器具及びその製造方法、並びに、これを用いた運搬・保存方法を提供することにある。
【課題を解決するための手段】
【００１２】
本発明の釣り用生き餌の運搬・保存用器具は、釣り用の生き餌として使用される環形動物を運搬・保存するために使用される器具であって、生き餌用環形動物を収納する筒状部材を備え、筒状部材の筒側面に、該筒状部材の内外を連通させる少なくとも１つの連通孔を設けたことを特徴とする。
【００１３】
生き餌用環形動物の脱出を防止するために、環形動物を収納する筒状部材の開口端部を塞ぐ閉塞部を設けることが好ましい。また、環形動物の傷付きを防止する観点から、閉塞部として栓部材を使用し、この栓部材を筒状部材の開口端部に通水・通気性を保って挿着し、栓部材の内端よりも開口端部側において、筒状部材の筒側面に連通孔を設けるとよい。
【００１４】
さらに、生き餌用環形動物の取り出しを容易にするために、筒状部材の円周方向に複数の連通孔を一列に並べ、連通孔の位置にて閉塞部を筒状部材から切り取り可能に構成するとよい。あるいは、筒状部材に閉塞部を切り取るためのミシン目を入れてもよい。
【００１５】
ここで、連通孔の位置は、生き餌用環形動物の脱出を防止するために、該連通孔の中心が開口端部より筒状部材の長手方向へ１ｃｍ以上離れた位置であるのが好ましい。
【００１６】
また、連通孔の大きさは、筒状部材の内外に充分な通気または通水性を確保するために、直径２ｍｍ〜６ｍｍであるのが望ましい。
【００１７】
本発明による運搬・保存用器具の製造方法では、筒状部材の内外を連通させる少なくとも１つの連通孔が、筒状部材の筒側面にパンチで打ち抜いて形成されることを特徴とする。
【００１８】
さらに、本発明の釣り用生き餌の運搬・保存方法では、上記構成の釣り用生き餌の運搬・保存用器具を用いて、環形動物を筒状部材の開口端部から該筒状部材の内側に収納し、開口端部を栓部材で塞ぎ、筒状部材の内部を湿潤状態にし、筒状部材の内外を連通孔により連通させた状態で、環形動物を運搬・保存することを特徴とする。
【発明の効果】
【００１９】
本願発明の釣り用生き餌の運搬・保存用器具には、次のような効果がある。
（１）筒状部材の筒側面に連通孔を設けることにより、生き餌用環形動物はその習性から進行方向にない連通孔から抜け出さない。
（２）比較的大きな孔を筒側面に設けることができるので、生き餌用環形動物の排泄物・老廃物や切断してしまった胴体等が筒状部材の内部にとどまることなく連通孔から筒状部材の外部に排出される。これにより、筒状部材内外の通気または通水性を確保し、環形動物の収納空間を清潔にすることができ、ひいては生き餌用環形動物を新鮮に運搬・保存することができる。
（３）生き餌用環形動物を筒状部材に挿入する際に筒状部材内部に水が入るが、運搬・保存時には筒状部材内部に入った水をある程度抜くという作業が必要になる。この際に開口端以外にも筒側面に存在する連通孔からも水の排出が可能となることから、生き餌用環形動物の挿入作業の効率化を図ることができる。
（４）栓部材に特別な形状部または機能部を設ける必要がなく、生き餌用環形動物が逃げ出さないようにするという本来の目的のみを達成できる部材を用意すればよいので、全体を安価に製作できるうえ、生き餌用環形動物の挿入作業を容易に行うこともできる。
（５）連通孔はパンチにより穿孔されることから、筒状部材の加工を容易かつ安価に行うことができる。また、パンチで打ち抜かれた連通孔は筒状部材の内部へ隆起するバリを発生しないので、内側に収納されている生き餌作用環形動物の胴体を傷つけにくい。
（６）餌付けに際しては、筒状部材の閉塞部を一列に並ぶ連通孔の位置にて、又はミシン目に沿って筒状部材から切り取ることで、生き餌用環形動物を筒状部材の本体部分から容易に取り出すことができる。
【図面の簡単な説明】
【００２０】
【図１】本発明の一実施形態を示す運搬・保存用器具の斜視図である。
【図２】図１の運搬・保存用器具の正面図である。
【図３】開口端部及び連通孔を示す器具の部分正面図である。
【図４】栓部材の変更例を示す器具の部分正面図である。
【図５】開口端部の変更例を示す運搬・保存用器具の斜視図である。
【図６】栓部材および連通孔の変更例を示す運搬・保存用器具の一部省略断面図である。
【図７】連通孔の変更例を示す器具の部分正面図である。
【図８】筒状部材に連通孔を穿孔する手順を示すパンチの側面図である。
【図９】生き餌用環形動物の運搬・保存方法を示す概略図である。
【図１０】筒状部材にミシン目を入れた運搬・保存用器具を示す斜視図である。
【図１１】図１０に示す器具の一部省略断面図である。
【図１２】ミシン目を備えた別の運搬・保存用器具を示す斜視図である。
【図１３】複数の連通孔をミシン目として機能させた運搬・保存用器具を示す斜視図である。
【図１４】従来の運搬・保存用器具を示す斜視図である。
【図１５】従来の別の運搬・保存用器具を示す斜視図である。
【発明を実施するための形態】
【００２１】
以下、本発明の実施形態を図面に基づいて説明する。
【００２２】
まず、釣り用生き餌運搬・保存用器具及びその製造方法を説明する。図１に示す釣り用生き餌の運搬・保存用器具は、生き餌用環形動物４を収納する筒状部材１と、生き餌用環形動物４が筒状部材１から逃げ出すことを防止する栓部材２と、筒状部材１の内外を連通させる連通孔３とからなる。連通孔３は、パンチ６（図６参照）を用いて筒状部材１の筒側面に打ち抜き形成される。
【００２３】
筒状部材１はその形状や材料において制限はない。しかしながら、生き餌用環形動物４が生存しやすく取り扱いの容易さを考慮すると直線状のものが好ましい。また、筒の横断面形状も生き餌用環形動物４の形状に合わせて円形又は楕円形のものが適している。さらに、材料は安価で取り扱いやすいポリプロピレン・ポリエチレンなどの合成樹脂で作られるものを利用することが好適である。そして、入手のしやすさや生き餌環形動物４の挿入のしやすさの観点から筒状部材１の両端に開口部を有するものを利用することが好ましい。
【００２４】
筒状部材１の全長・内径は、中に挿入する生き餌用環形動物４の種類や大きさに応じて変化する。通常、東南アジア産のイワイソメ（「イワムシ」とも称される）は、体長が１０〜５０ｃｍ程度、体幅が４〜１０ｍｍ程度の大きさを有することから、筒状部材１として、全長が１０〜６０ｃｍ程度で、内径が４〜１０ｍｍ程度の部材を使用できる。
【００２５】
栓部材２は、筒状部材１に嵌入され、その開口端部５を塞ぎ、生き餌用環形動物４が抜け出すことを防止する。また、生き餌用環形動物４には進行方向にある隙間に入り込もうとする習性がある。従って、図３に示すように、栓部材２は、開口端部５との間に大きな隙間を生じない形状にすることが生き餌用環形動物４の体力維持や安全の面からも望ましい。
【００２６】
栓部材２の材質は特に限定されない。例えば、栓部材２を樹脂、ゴム、木材又は紙等の素材で形成できる。また、栓部材２の形状も特に限定されず、生き餌用環形動物４が逃げ出さないように開口端部５を塞ぐ各種の形状を採用できる。
【００２７】
図４に栓部材２の様々な形態を例示した。（ａ）に示す栓部材２１は、可撓性のあるポリ塩化ビニル等の合成樹脂製ホースを適宜長さのリング状に切断し、さらに半分に切断し、二つ折りにして筒状部材１に嵌入したものである。栓部材２１を筒状部材１に嵌入することにより、筒状部材１が変形するので、その開口端部５を塞ぐことができる。（ｂ）に示す栓部材２２は、（ａ）に示した栓部材２１の変形例であり、合成樹脂製ホースから切断したリングの一部を切除し、Ｊ字状に変形させて筒状部材１に圧入して、開口端部５を扁平に潰したものである。こうすれば、開口端部５から露出した栓部材２２の一部を摘みとして利用できる。
【００２８】
（ｃ）に示す栓部材２３は、筒状部材１の内径に嵌入出来る大きさの細長の形状をした天然貝を使用したものである。（ｄ）に示す栓部材２４は、梱包用のポリプロピレン製のバンドを折りたたみ筒状部材１に嵌入したものである。（ｅ）に示す栓部材２５は、ビニールタイ（針金入りビニールひも）を使用したものであり、筒状部材１の外側から開口端部５を窄めるように締結される。
【００２９】
（ｆ）に示す栓部材２６は、樹脂材料で筒状部材１の内径に嵌入出来る太さの断面十字形に成形したものであり、筒状部材１との間に生き餌用環形動物４が入り込むことができない程度の隙間を形成することで、開口端部５に通気性・通水性を確保することができる。その他、任意の形状または材質の栓部材を使用することができる。なお、栓部材を使用せずに、図５に例示するように、筒状部材１の開口端部５を熱溶着等の手段で密着させて閉塞部とすることもできる。こうした場合でも、開口端部５の近傍に連通孔３が明けられているので、筒状部材１内外の通水・通気を確保することができる。
【００３０】
環形動物は、一般的に直線的形状であり体の先端に口を有し末端に肛門を有し、匍匐移動と遊泳が可能であるが、図２に示す筒状部材１のような直線的な筒の中に入った際には体の先端方向又は末端方向に向かって直線的に匍匐移動することがほとんどである。従って、連通孔３が生き餌用環形動物４の進行方向に対して直角となる向き、つまり筒状部材１の直径方向に明けられているので、生き餌用環形動物４はその習性により筒状部材１から抜け出すことはない。
【００３１】
一方、筒状部材１の開口端部５の間近に連通孔３を設けると、生き餌用環形動物４が逃げ出す率が高くなる。反対に、連通孔３を筒状部材１の長手方向の中間部近くに設けると、生き餌用環形動物４の胴体が連通孔３の周縁で傷付く可能性が高くなる。以上を踏まえた鋭意研究の結果、筒状部材１に連通孔３が設けられる位置は、図１，図２，図３に図示されているように、該連通孔３の中心が開口端部５より筒状部材１の長手方向へ１ｃｍ以上離れているのが望ましいことが判明した。より望ましくは、連通孔３の中心が開口端部５より３ｃｍ程度離れた位置にあるとよい。
【００３２】
ただし、図６に示すように、筒状部材１の開口端部５を比較的長い栓部材２８で塞ぎ、この栓部材２８の内端よりも外側、つまり開口端部５側に位置するように連通孔３を形成することもできる。この場合、栓部材２８は、開口端部５を密閉せず、そこに通水・通気性を保った状態で筒状部材１に挿着される。こうすれば、栓部材２８によって生き餌用環形動物４の脱出を防止できるとともに、胴体が連通孔３の周縁に接触しないようにして、生き餌用環形動物４をより安全に運搬、保存することができる。
【００３３】
また、筒状部材１に設けられる連通孔３の大きさは、生き餌用環形動物４の老廃物等をスムーズに排出できる点で、直径２ｍｍ〜６ｍｍであるのが好ましく、この範囲内で生き餌用環形動物４の種類や大きさに応じた連通孔３を形成できる。
【００３４】
筒状部材１に設けられる連通孔３の数は、少なくとも一つあればよいが、図１、図２に図示するように、好ましくは、筒状部材１の側面４カ所に連通孔３を設けることができる。
【００３５】
筒状部材１に設けられる連通孔３の形状は、特に限定されないが、例えば、図７に示すように、円形の連通孔３１、楕円形の連通孔３２、三角形の連通孔３３、長方形の連通孔３４、多角形の連通孔３５とすることができる。
【００３６】
釣り用生き餌の運搬・保存用器具の製造に際しては、図８に示すように、連通孔３がパンチ６を用いて筒状部材１に明けられる。このとき、筒状部材１はパンチ６の挟着部７に挟み付けられた状態で、連通孔３がパンチピン８によって打ち抜かれる。このため、筒状部材１の内側にバリを生じることなく連通孔３を形成でき、生き餌用環形動物４を筒状部材１の内部で安全に収納することが可能になる。
【００３７】
次に、上述の釣り用生き餌の運搬・保存用器具を使用した釣り用生き餌の運搬・保存方法について説明する。まず、生き餌用環形動物４を筒状部材１に収納した後に、筒状部材１の両端を栓部材２でそれぞれ塞ぐ。次に、図９（ａ）に示すように、複数本の釣り用生き餌の運搬・保存用器具を束ねて器具束１１を形成する。続いて、図９（ｂ）に示すように、器具束１１を横にして運搬容器１２に収容する。運搬容器１２は、生き餌用環形動物４を湿潤状態で保持できるように、発泡スチロール製の箱を使用することが好ましい。また、環形動物が冷温帯冬眠するという性質を利用し、運搬容器１２内に氷や湿らせた新聞紙・スポンジを敷き詰め、その上に器具束１１を載せ、最後に運搬容器１２に蓋をして容器１２内の温度と湿度を適性値に保つ。
【００３８】
本発明は上記実施形態に限定されるものではなく、以下に例示するように、発明の趣旨を逸脱しない範囲で、各部の構成を適宜に変更して実施することも可能である。
（ａ）図１０、図１１に示すように、開口端部５が栓部材２によって閉塞されている筒状部材１において、その両端に閉塞部を切り取るためのミシン目９を形成すること。こうすれば、餌付けに際し、開口端部５を栓部材２と一緒に切り取り、生き餌用環形動物４を筒状部材１の本体部分から容易に取り出すことができる。
（ｂ）図１２に示すように、開口端部５が溶着によって閉塞されている筒状部材１において、その両端に閉塞部を切り取るためのミシン目９を形成すること。
（ｃ）図１３に示すように、開口端部５が栓部材２又は溶着によって閉塞されている筒状部材１において、その両端部の円周方向に複数の連通孔３を所定の間隔で一列に並べ、連通孔３の位置にて開口端部５を筒状部材１から切り取り可能に構成すること。こうすれば、複数の連通孔３をミシン目と同様に機能させることができる。
【符号の説明】
【００３９】
１  筒状部材
２  栓部材
３  連通孔
４  生き餌用環形動物
５  開口端部
６  パンチ
９  ミシン目
１１  器具束
１２  運搬容器
【図１】
2014027914.tif 000003
【図２】
2014027914.tif 000004
【図３】
2014027914.tif 000005
【図４】
2014027914.tif 000006
【図５】
2014027914.tif 000007
【図６】
2014027914.tif 000008
【図７】
2014027914.tif 000009
【図８】
2014027914.tif 000010
【図９】
2014027914.tif 000011
【図１０】
2014027914.tif 000012
【図１１】
2014027914.tif 000013
【図１２】
2014027914.tif 000014
【図１３】
2014027914.tif 000015
【図１４】
2014027914.tif 000016
【図１５】
2014027914.tif 000017